(57)【要約】【課題】  構造が簡単で安価に製造できると共に容易に組立て可能であり、しかも細菌の繁殖が防止できるようにする。【解決手段】  透析液輸送チューブと連通する液流路３を有する本体２と、本体２における液流路３の上側に連通状に形成された凹陥部５と、凹陥部５の上側に形成された凹部６と、凹陥部５内に嵌め込まれ、注射針が挿脱自在なゴム状弾性を有する栓体７と、本体２の上部に着脱自在に装着され、中央には本体２の凹部６内に入る下向きテーパー状の内筒部１２が設けられた主キャップ１１と、主キャップ１１の内筒部１２に装着自在に嵌め入れられる栓キャップ１３とを備えており、栓体７の下端には液流路３の内周面における栓体７側部分に沿う凹弧部７ａが形成されている。【選択図】  図１
2014073220.tif 000002
【特許請求の範囲】
【請求項１】
内部に一側から他側へ貫通状に形成された断面円形の液流路を有する略円筒状の本体と、本体の両側に液流路の両端と連通するように突設され、液輸送チューブがそれぞれ接続される円筒状のジョイント部と、本体における液流路の上側に該液流路と連通状に形成された凹陥部と、凹陥部の上側に形成された凹部と、凹陥部内に嵌め込まれ、注射針が挿脱自在なゴム状弾性を有する栓体と、本体外面における両ジョイント部より上側に形成された雄ネジと、雄ネジに嵌合する雌ネジが内周に形成され、中央には本体の凹部内に入る下向きテーパー状の内筒部が設けられた主キャップとを備えており、栓体の下端には液流路の内周面における栓体側部分に沿う凹弧部が形成されている、サンプリングポート。
【請求項２】
凹陥部は本体内に同心状に一体形成された円筒部内に形成され、栓体は、上部に前記円筒部の上端と係合するフランジを有し、フランジの下側部分が凹陥部内に嵌め入れられる形状となされ、主キャップの内筒部の下端は主キャップの装着時に栓体の上面に当接するようになされている、請求項１記載のサンプリングポート。
【請求項３】
栓体を凹陥部に嵌め入れる際に、栓体下端の凹弧部が本体の液流路の内周面に沿うように栓体のフランジ外周に一または複数の位置決め用溝が形成され、本体の内周面における前記円筒部上縁と対向する部分には、フランジの位置決め用溝に嵌合する一または複数の位置決め用突起が形成されている、請求項２記載のサンプリングポート。
【請求項４】
本体における液流路の下側に延長状筒部が形成されている、請求項１〜請求項３のうちのいずれか一項記載のサンプリングポート。
【請求項５】
主キャップの内筒部に装着自在に嵌め入れられる栓キャップを更に有する、請求項１〜請求項４のうちのいずれか一項記載のサンプリングポート。
【発明の詳細な説明】
【技術分野】
【０００１】
本発明は、主として血液透析システム等において、その透析液の状態を調べるために用いられるサンプリングポートに関する。
【背景技術】
【０００２】
一般に、この種サンプリングポートは、内部が透析液の流路となっている筒状本体と、筒状本体の長さ中央部分に立設され、筒状本体内の流路と連通するサンプリング部と、サンプリング部内に液密状に装填されるゴム状弾性を有する栓体と、サンプリング部にネジ嵌合によって装着されたキャップとを備えたものが知られている。
【０００３】
また、前記筒状本体とサンプリング部とを別体構成とし、そのサンプリング部をボルトによって筒状本体に一体に結合させると共に、該結合部分にＯリングや消毒液含浸体等を介在させたサンプリング装置や、或いは更に前記筒状本体内に透析液の流れを制御するための複数の制御流路や制御開口を設け、これらの流路や開口における透析液等の流れを、前記キャップに連結した弁棒先端の弁体や逆止弁等の操作によって変更することにより、サンプリングを行うようにした透析液サンプリングポートも知られている。
【先行技術文献】
【特許文献】
【０００４】
【特許文献１】特開２００２−１４０１５号公報
【特許文献２】特開２００３−９３５０１号公報
【特許文献３】特開２００９−２０７７０６号公報
【特許文献４】実用新案登録第３１７７０８０号公報
【発明の概要】
【発明が解決しようとする課題】
【０００５】
血液透析システムは、基本的には、患者の身体と透析装置との間で患者の血液を循環させる血液循環回路を形成し、患者から取り出した血液を前記透析装置内で処理して、その処理済みの血液を再び患者へ戻すということを繰り返すものであり、このような血液透析システムにおいて、透析液のサンプリングポートを設けて透析液組成濃度の確認等を行う場合、透析液の流れに悪影響を及ぼさず、また細菌の繁殖等を生じないことが非常に重要である。
【０００６】
しかしながら、従来のサンプリングポートでは、透析液のスムーズな流れを担保するための積極的な手段が講じられていないのが実情であり、そのため、例えば注射針を挿入して透析液のサンプリングを行うための栓体の先端部分が前記筒状本体内の流路に突出して透析液の流れに淀みが生じたり、またこれに起因して該部で細菌が繁殖するという問題があった。また、別のサンプリングポートでは、その栓体の先端部がサンプリング部の下端位置まで達していないために、サンプリング部の先端部に凹部ができ、該凹部に透析液が滞留して細菌が繁殖するという問題があった。
【０００７】
また、前述した従来のサンプリングポートでは、構造が複雑で構成部品数も多いことから、製造コストが高くなる上、組立てに多大な手間と時間とを要する他、液密性を確保するためのパッキング類の交換が出来ない等、種々の問題があった。
【０００８】
更にまた、従来のサンプリングポートでは、注射針を刺してサンプリングを行う栓体が外部に露出しているために、衛生面でも問題があった。
【０００９】
本発明の目的は、構造が簡単で且つ安価に製造することができると共に組立ても容易であり、しかも細菌の繁殖が確実に防止できるサンプリングポートを提供することにある。
【課題を解決するための手段】
【００１０】
請求項１記載の本発明は、内部に一側から他側へ貫通状に形成された断面円形の液流路を有する略円筒状の本体と、本体の両側に液流路の両端と連通するように突設され、液輸送チューブがそれぞれ接続される円筒状のジョイント部と、本体における液流路の上側に該液流路と連通状に形成された凹陥部と、凹陥部の上側に形成された凹部と、凹陥部内に嵌め込まれ、注射針が挿脱自在なゴム状弾性を有する栓体と、本体外面における両ジョイント部より上側に形成された雄ネジと、雄ネジに嵌合する雌ネジが内周に形成され、中央には本体の凹部内に入る下向きテーパー状の内筒部が設けられた主キャップとを備えており、栓体の下端には液流路の内周面における栓体側部分に沿う凹弧部が形成されているサンプリングポートである。
【００１１】
請求項２記載の本発明は、前記請求項１記載のサンプリングポートについて、凹陥部は本体内に同心状に一体形成された円筒部内に形成され、栓体は、上部に前記円筒部の上端と係合するフランジを有し、フランジの下側部分が凹陥部内に嵌め入れられる形状となされ、主キャップの内筒部の下端は主キャップの装着時に栓体の上面に当接するようになされていることを特徴とするものである。
【００１２】
請求項３記載の本発明は、前記請求項２記載のサンプリングポートについて、栓体を凹陥部に嵌め入れる際に、栓体下端の凹弧部が本体の液流路の内周面に沿うように栓体のフランジ外周に一または複数の位置決め用溝が形成され、本体の内周面における前記円筒部上縁と対向する部分には、フランジの位置決め用溝に嵌合する一または複数の位置決め用突起が形成されていることを特徴とするものである。
【００１３】
請求項４記載の本発明は、前記請求項１〜請求項３のうちのいずれか一項記載のサンプリングポートについて、本体における液流路の下側に延長状筒部が形成されているものである。
【００１４】
請求項５記載の本発明は、前記請求項１〜請求項４のうちのいずれか一項記載のサンプリングポートについて、主キャップの内筒部に装着自在に嵌め入れられる栓キャップを更に有するものである。
【発明の効果】
【００１５】
本発明の請求項１に係るサンプリングポートは、内部に一側から他側へ貫通状に形成された断面円形の液流路を有する略円筒状の本体と、本体の両側に液流路の両端と連通するように突設され、液輸送チューブがそれぞれ接続される円筒状のジョイント部と、本体における液流路の上側に該液流路と連通状に形成された凹陥部と、凹陥部の上側に形成された凹部と、凹陥部内に嵌め込まれ、注射針が挿脱自在なゴム状弾性を有する栓体と、本体外面における両ジョイント部より上側に形成された雄ネジと、雄ネジに嵌合する雌ネジが内周に形成され、中央には本体の凹部内に入る下向きテーパー状の内筒部が設けられた主キャップとを備えており、栓体の下端には液流路の内周面における栓体側部分に沿う凹弧部が形成されているという構造であるため、従来に比べて部品数が少なく、製造コストも安価となる上、組み立ても容易に行うことができる。しかも、本発明のサンプルポートでは、栓体の下端に液流路の内周面における栓体側部分に沿う凹弧部が形成されていることから、本体の液流路の断面全面にわたって透析液が確実に流れ、そのため前記栓体の先端部によって透析液の流れが妨げられることはなく、且つ従来のように、栓体の先端部に凹部も存在しないため、透析液の滞留も発生しない。したがって、細菌の繁殖のおそれも全くないという格別の利点を有する。
【００１６】
本願の請求項２記載のサンプリングポートによれば、凹陥部は本体内に同心状に形成された円筒部内に形成され、栓体は、上部に前記円筒部の上端と係合するフランジを有し、フランジの下側部分が凹陥部内に嵌め入れられる形状となされ、主キャップの内筒部の下端は主キャップの装着時に栓体の上面に当接するようになされているという構造であるため、先ず栓体は、凹陥部に嵌め込まれた際に、そのフランジが円筒部の上端に上方から係合した状態となり、そして、該フランジの上面に対して主キャップの内筒部の下端が当接することで栓体が凹陥部に強固に嵌め込まれて液密性が更に増強されるという効果を奏する。
【００１７】
請求項３記載の本発明によれば、前記栓体を本体の凹陥部に嵌め入れる際に、栓体下端の凹弧部が本体の液流路の内周面に沿うように栓体のフランジ外周に一または複数の位置決め用溝が形成される一方、本体内面にはフランジの位置決め用溝に嵌合する位置決め用突起が形成されていることから、栓体の凹陥部への適切な嵌合が即座に行えるという利点がある。また、当初、本体内に栓体が適切に入れられていない場合でも、その後、本体に主キャップを装着する際に、主キャップの内筒部が栓体に当接した状態で該栓体と主キャップとが一体に回転するのに伴って、栓体の位置決め用溝が本体内面の位置決め用突起に自然に嵌め合わされることとなり、そのため栓体が自然に適切な嵌合状態に修正されるという利点もある。
【００１８】
請求項４記載の本発明は、本体における液流路の下側が延長状筒部となされているため、軽量で且つ強度も確保され、また取扱い性も向上するという利点を有する。
【００１９】
請求項５記載のサンプリングポートによれば、注射針が刺される栓体は、その上方の栓キャップによって当該サンプリングポートの内部に封止された状態となるため、衛生管理面で更に有利である。
【図面の簡単な説明】
【００２０】
【図１】本発明の実施形態に係るサンプリングポートの分解斜視図である。
【図２】同じく実施形態に係るサンプリングポートの本体の斜視図である。
【図３】実施形態に係るサンプリングポートの本体に栓体を嵌め込んだ状態を示す斜視図である。
【図４】図３のサンプリングポートに主キャップが装着された状態の斜視図である。
【図５】図４のサンプリングポートに更に栓キャップを嵌め込んだ状態を示す斜視図である。
【図６】図４のサンプリングポートの平面図である。
【図７】図６におけるＡ−Ａ線断面図である。
【図８】図６におけるＢ−Ｂ線断面図である。
【発明を実施するための形態】
【００２１】
次に、本発明を血液透析用サンプリングポートに適用した場合の実施形態を図面にしたがって説明するが、本発明はかかる実施形態に限定されるものではない。
【００２２】
図１、図７および図８に示すように、サンプリングポート１は、内部に一側から他側へ貫通状に形成された断面円形の液流路３を有する本体２と、本体２の両側に液流路３の両端と連通するように突設され、液輸送チューブ（図示せず）がそれぞれ接続される円筒状のジョイント部４と、本体２における液流路３の上側に該液流路３と連通状に形成された凹陥部５と、凹陥部５の上側に形成された凹部６と、凹陥部５内に嵌め込まれ、注射針（図示せず）が挿脱自在なゴム状弾性を有する栓体７と、本体２外面における両ジョイント部４・４より上側に形成された雄ネジ８と、雄ネジ８に嵌合する雌ネジ９が内周に形成され、中央には本体２の凹部６内に入る下向きテーパー状の内筒部１２が設けられた主キャップ１１と、主キャップ１１の内筒部１２に装着自在に嵌め入れられる栓キャップ１３とを備えており、栓体７の下端には液流路３の壁面における栓体７側部分に沿う凹弧部７ａが形成されているものである。
【００２３】
なお、本実施形態において、本体２および主キャップ１１は、いずれも耐薬品性の合成樹脂で構成されており、また栓体７および栓キャップ１３はいずれもシリコーンゴム製である。
【００２４】
本体２は、本実施形態では、全体が略円筒状であって、液流路３の下側に延長状筒部３０が形成されている。
【００２５】
図２および図８に示すように、凹陥部５は、本体２内に同心状に一体に形成された円筒部１０内に形成され、栓体７は、上部に前記円筒部１０の上端１０ａと係合するフランジ７ａを有し、フランジ７ａの下側部分７ｂが凹陥部５内に嵌め入れられる形状となされ、主キャップ１１の内筒部１２の下端は主キャップ１１の装着時に栓体７のフランジ７ａ上面に当接するようになされている。
【００２６】
また、栓体７を凹陥部５に嵌め入れる際に、栓体７下端の凹弧部７ａが本体２の液流路３の内周面３ａに沿うように栓体７のフランジ７ａ外周における対称位置に２つの位置決め用溝１５が形成され、本体２の内周面における前記円筒部１０上縁と対向する部分には、フランジ７ａの位置決め用溝１５に嵌合する位置決め用突起１４が形成されている。
【００２７】
図２、図７および図８に示すように、円筒部１０は、より詳細には有底円筒状であって、その底部１０ａは本体２の液流路３の形成方向において本体２と一体に形成され、且つ前記位置決め用突起１４ともつながったものであり、そして、位置決め用突起１４の上部１４ａが円筒部１０よりも上方に突出しており、該部に栓体７の位置決め用溝１５は嵌合する構造となされている。
【００２８】
次に、本実施形態に係るサンプリングポートの使用要領について説明すると、先ずその組立ては、図３および図７に示すように、本体２における凹陥部５の上方に突出した一対の位置決め用突起１４に栓体７におけるフランジ７ａの位置決め用溝１５を嵌合させて凹陥部５内に栓体７を嵌め込む。この際、図７および図８に示すように、栓体７下端の凹弧部７ａが液流路３の壁面３ａに沿った状態となっている。
【００２９】
その後、図４、図７および図８に示すように、本体２の雄ネジ８に主キャップ１１の雌ネジ９を嵌め合わせて主キャップ１１を本体２に装着すると共に、主キャップ１１の内筒部１２の下端を栓体７の上面７ｃに当接させることで栓体７が下方に押圧された状態とする。この状態では、図４に示すように、主キャップ１１の内筒部１２内に栓体７のフランジ７ａが露出している。そして、この状態で栓体７の上面７ｃから注射針を挿入して本体２の液流路３内を流れる透析液のサンプリングを行うことができる。
【００３０】
そして、前述したサンプリングを行わない時には、必要に応じて主キャップ１１の内筒部１２内に栓キャップ１３を嵌め入れて内筒部１２を封止することにより、栓体７が外部に露出しないようにする。
【産業上の利用可能性】
【００３１】
本発明に係るサンプリングポートは、組立てが容易で且つ安価に製造でき、しかも細菌の繁殖も確実に防止できるものであるため、特に血液透析システムの分野で幅広い利用が期待できる。
【符号の説明】
【００３２】
１  サンプリングポート
２  本体
３  液流路
４  ジョイント部
５  凹陥部
６  凹部
７  栓体
７ａ  凹弧部
８  雄ネジ
９  雌ネジ
１０  円筒部
１１  主キャップ
１２  内筒部
１３  栓キャップ
【図１】
2014073220.tif 000003
【図２】
2014073220.tif 000004
【図３】
2014073220.tif 000005
【図４】
2014073220.tif 000006
【図５】
2014073220.tif 000007
【図６】
2014073220.tif 000008
【図７】
2014073220.tif 000009
【図８】
2014073220.tif 000010